(57)【要約】【解決手段】観測装置(10)に関して検出器(D)を設置しかつ位置合わせする装置(S)は、観測装置(10)の観測中心線(14)の軸線を外して観測装置(10)へ移動可能に結合された第１検出器(12)を含む。第１検出器(12)を観測装置(10)へ固定するためのリテーナ(16)が観測装置(10)に設置されている。リテーナ(16)により第１検出器(12)は観測中心線(14)の軸線の回りに回転移動することができる。好適には、リテーナ(16)は第１検出器(12)をリテーナ(16)へ設置するための取り付け点(20)を含む。第１検出器(12)は観測装置(10)の観測中心線(14)の軸線と本質的に垂直な軸線(22)の回りに少なくとも調節可能でなければならない。
2005530193.tif 000002
【特許請求の範囲】
【請求項１】
観測装置に関して検出器を設置しかつ位置合わせするための装置であって、
観測装置用の観測中心線の軸線を外れて観測装置へ移動可能に結合された第１検出器と、
観測中心線の軸線の回りに回転可能に観測装置に対して第１検出器を固定するためのリテーナであり、該リテーナへ第１検出器を設置するためのアタッチメント手段を含むところのリテーナと、
から成り、
第１検出器手段は観測装置用の観測中心線の軸線に本質的に垂直な軸線に関して少なくとも調節可能である、ところの装置。
【請求項２】
請求項１に記載の装置であって、リテーナは観測装置の対物レンズハウジングの円周の回りに設置されたストラップを含む、ところの装置。
【請求項３】
請求項２に記載の装置であって、第１検出器はストラップにより枢動可能に固定される、ところの装置。
【請求項４】
請求項１に記載の装置であって、観測装置は暗視ゴーグルである、ところの装置。
【請求項５】
観測装置に関して検出器を設置しかつレーザービームを生成する隣接するレーザー装置と該検出器を位置合わせする方法であって、
観測装置用の観測中心線の軸線を外して第１検出器を観測装置に対し移動可能に結合する工程と、
観測装置の軸線の回りに検出器が回転移動できるようにリテーナにより第１検出器を観測装置へ固定する工程であって、該リテーナはリテーナへ第１検出器を設置するためのアタッチメント手段を含むところの工程と、
少なくとも観測装置用の観測中心線の軸線に本質的に垂直な軸線の回りに第１検出器を調節する工程と、
から成る方法。
【請求項６】
請求項５に記載の方法であって、リテーナは観測装置の対物レンズハウジングの円周の回りに設置されたストラップを含む、ところの方法。
【請求項７】
請求項６に記載の方法であって、第１検出器はストラップにより枢動可能に固定される、ところの方法。
【請求項８】
請求項５に記載の方法であって、観測装置は暗視ゴーグルである、ところの方法。
【発明の詳細な説明】
【技術分野】
【０００１】
本願は “METHOD AND SYSTEM FOR MOUNTING A DETECTOR”と題する、２００２年６月１２日出願の米国特許仮出願第60/319,306号の利益を主張するものである。
【０００２】
本発明は、概して画像装置の分野に関し、特に観測装置に設置された検出器を位置合わせするための方法及び装置に関する。
【背景技術】
【０００３】
複数センサー画像装置は複数のセンサーを使って収集したデータを融合することにより物体の画像を生成する。しかし、複数のセンサーを使用して画像データを収集することは挑戦をもたらした。ある装置では、センサーは別々の孔から受け取った光を検出する。しかし、別々の孔からの光から生成されたデータはデータをひとつの画像に融合するために調整する必要がある物体の異なる視点を記述する。付加的に、異なるセンサーに対して別々の孔を使用することは画像装置の寸法を増加させる。
【０００４】
他の装置では、孔からの光はセンサーに入射する前に成分に分割される。典型的に、異なるセンサーへ光を向けるのに反射及び屈折エレメントが使用される。例えば、Hallらの米国特許第5,729,376号に記載された装置は、ひとつのセンサー方向へ光を反射させかつ他のセンサー方向へ光を屈折させるレンズのような複数の反射及び屈折エレメントを含む。
【特許文献１】米国特許第5,729,376号
【発明の開示】
【発明が解決しようとする課題】
【０００５】
しかし、各個々のセンサーは光の特定の波長の成分のみを検出するため、完全スペクトルの画像データを生成することができない。さらに、複数の反射及び屈折エレメントは画像装置の寸法及び重量を増加させる。結果として、複数のセンサーから画像データを収集することは画像装置の設計に対して問題となっていた。
【０００６】
ある装置はエネルギーパルスのタイミングが共有されることを要求する。例えば、レーザービームが発動され、反射を生じさせるポイントまでの距離を計算するために光が反射を起こす時間が使用される。その場合、レーザービームが発動される時間を検出することが重要である。
【０００７】
上記引例は多くの利点及び技術的改良を開示するが、本発明によって達成される特定の目的を完全に満たしてはいない。
【０００８】
既知のアプローチは以前に比べ改良をもたらしたが、画像装置分野の挑戦はより大きな効果を有するより良い技術に対する要求とともに増加しつづけた。こうして、観測装置に検出器を移動可能に設置するための新規な方法及び装置への要求が高まった。
【課題を解決するための手段】
【０００９】
本発明に従う、観測装置に関して検出器を設置しかつ位置合わせするための装置は、観測装置用の観測中心線の軸線を外して観測装置へ移動可能に結合された第１検出器を含む。第１検出器を観測装置に固定するために観測装置に対してリテーナが設置される。リテーナは観測中心線の軸線の回りに第１検出器の回転移動を許す。好適には、リテーナは第１検出器をリテーナへ設置するための取り付け点を含む。第１検出器は、観測装置用の観測中心線の軸線に本質的に垂直な軸線の回りに少なくとも調節可能でなければならない。
【００１０】
本発明の実施例は多くの技術的な利点を与える。ある実施例の技術的利点は、検出面が観測装置に隣接するソースから放射されたビームと同一面内にあるような位置まで検出器が回転される点である。
【００１１】
本発明のこれらの目的、利点及び特徴は好適実施例が示されている図面を参照して以下の詳細な説明で明らかとなる。
【発明を実施するための最良の形態】
【００１２】
本発明の上記特徴、利点及び目的が達成される方法が詳細に理解されるように、上で要約された本発明の特定の説明が添付図面に図示される実施例を参照してもたらされる。すべての図面において、同じ数字は同一エレメントを表す。
【００１３】
観測装置10に関して検出器Dを設置しかつ位置合わせするための装置Sは、観測装置10用の観測中心線14の軸線を外して観測装置10に移動可能に結合された第１検出器12を含む。第１検出器12を観測装置10へ固定するためにリテーナ16が観測装置10に対して設置されている。リテーナ16は観測中心線14の軸線の回りに第１検出器12の回転移動18を許す。好適には、リテーナ16は第１検出器12をリテーナ16へ設置するための取り付け点20を含む。第１検出器12は観測装置10用の観測中心線の軸線14に本質的に垂直な軸線22の回りに少なくとも調節可能でなければならない。
【００１４】
本発明は観測装置10に隣接するレーザービーム24の発射または存在を観測するための観測装置10に設置された検出器Dを位置合わせすることに関する。検出器12が設置された観測装置10は観測されるべきレーザービーム24を生成するレーザー装置26の側に配置されなければならない。検出器経路及びレーザービームの中心線28及び30はレーザービーム24の発生源の正面34のある点で交差32しなければならない。付加的に、レーザー26及び検出器12の２つの装置の位置は変更されてもよい。
【００１５】
観測装置10は既知のタイプの暗視ゴーグル若しくは観察器、または赤外線カメラである。
【００１６】
ベース36は、該ベース36が観測光学中心線14の回りに１８０°または所望な角度だけ回転可能であるように、観測装置10の対物レンズセル38に設置または取り付けられている。好適には、ベース36は任意の角度にロックされる。回転可能なベース36上で、検出器ハウジング40は、該検出器ハウジング40が観測中心線14に垂直な中心線22の回りに枢動または回転するのを許すピボット42上に設置されている。
【００１７】
付加的に、選択されたサイズ及び組成のストラップまたはバンド44が対物レンズセル38の回りに配置される。ベースまたはブロック36はストラップ44の端部46aと46bの間のセル38上に配置されている。２本のネジ48がストラップ44の各端部46a及び46bからベース36の反対側50a及び50bにねじ込まれる。ストラップベースネジ48を緩めることにより、ストラップベース組立体は対物レンズの中心線14の回りに回転することができる。短いピボット柱42は、検出器ハウジング40が取り付けられるかまたは枢着されるベース36の中央から立ち上がっている。検出器ハウジング40はネジ（図示せず）により保持またはロックされている。ピボットネジを緩めることにより、検出器12は対物レンズ中心線14に垂直な軸線22の回りに回転することができる。
【００１８】
他の実施例
他に、検出器Dはボール上に設置されビームと位置合わせされて旋回され、その後ネジで定位置にロックされてもよい。また、検出器Dはロック可能なジンバル上に設置されてもよい。これらの変形例のいずれも検出器に要求される回転のいくつかの必要な角度を制限することができる。
【００１９】
上記したように検出器を設置することにより、検出器ベース36は、検出面52が投影ビーム30と同一面内にあるような位置まで回転される。同一面アライメントの後、検出器Dは任意の所望の点32で投影ビーム30と交差するよう枢動される。
【００２０】
本発明の上記開示及び説明は例示にすぎず、発明の思想から離れることなく、サイズ、形状及び材料並びに図示された構造のさまざまな変更が可能である。
【図面の簡単な説明】
【００２１】
【図１】図１は、観測装置へ検出器を設置するための装置のひとつの実施例を示す。
【図２】図２は、図１のリテーナ及び設置ブロックの拡大図である。
【図１】
2005530193.tif 000003
【図２】
2005530193.tif 000004
【国際調査報告】
2005530193.tif 000005
2005530193.tif 000006